(57)【要約】      （修正有）【課題】携帯用ヘッドレストクッションに関し、旅行や出張などのように長距離を移動するときに簡単に持ち運びができ、髪の毛が押しつぶされ髪型が乱れることを防止することができ、指圧機能が加えられる。【解決手段】携帯用ヘッドレストクッション１００は、長方形の平たい支え台１０と、複数の支柱部２０と、複数の頭部２２とを含んで構成される。支柱部２０は、支え台の上面に上向き突出した円柱形態で形成され、互いに離隔されるように配置される。頭部２２は、支え台１０の上端に半円球の形態に形成され、使用者の頭に当たる部位である。支え台１０の底面には、すべり防止構造を有する底板１４が形成され、支柱部２０は、指を一方向にすぼめた形態で配置される。頭部２２の表面は、支え台１０の中央に向け下向き傾斜した形態で形成され、凹凸面で形成される。【選択図】図２
2012200610.tif 000002
【特許請求の範囲】
【請求項１】
長方形の平たい支え台と、
それぞれ前記支え台の上面に上向き突出した円柱形態に形成され、互いに離隔されるように配置される複数の支柱部と、
それぞれ前記支柱部の上端に半円球の形態に形成され、使用者の頭部に当たる部位である複数の頭部と、
を含むことを特徴とする携帯用ヘッドレストクッション。
【請求項２】
前記支え台の底面に前記支え台と同一形態に形成され、すべり防止構造を有する底板をさらに含むことを特徴とする請求項１に記載の携帯用ヘッドレストクッション。
【請求項３】
前記複数の支柱部は、全部で５個であり、指を一方向にすぼめた形態で配置されることを特徴とする請求項１に記載の携帯用ヘッドレストクッション。
【請求項４】
前記頭部の表面は、前記支え台の中央に向け下向き傾斜した形態で形成されることを特徴とする請求項１に記載の携帯用ヘッドレストクッション。
【請求項５】
前記頭部の表面は、凹凸面で形成されることを特徴とする請求項１に記載の携帯用ヘッドレストクッション。
【請求項６】
前記支え台の上面は、滑らかな面で形成されることを特徴とする請求項１に記載の携帯用ヘッドレストクッション。
【請求項７】
前記支え台の片隅には連結口が形成され、前記連結口に差し込まれる固定手段をさらに含むことを特徴とする請求項１に記載の携帯用ヘッドレストクッション。
【請求項８】
前記支柱部と前記頭部を被せる形態で前記支え台の側面に結合可能なケースをさらに含むことを特徴とする請求項１に記載の携帯用ヘッドレストクッション。
【発明の詳細な説明】
【技術分野】
【０００１】  本発明は、携帯用ヘッドレストクッションに関し、より詳しくは、使用するときに髪の毛が押しつぶされ髪型が乱れることを防止することができる携帯用ヘッドレストクッションに関する。
【背景技術】
【０００２】  旅行や出張などの目的で、バス、電車、飛行機などの交通手段を利用して長距離を移動すると、椅子に座ったままうたた寝する場合がしばしばある。ところが、起きてみたら髪の毛が押しつぶされるか、蜂の巣のように髪が乱れることがしばしばある。しかし、移動中の状態ではきちんと髪型を戻すことができないため、大変困難である。【０００３】  現在、携帯用のまくらやネックレストの用途で、旅行客や長距離移動者向けの多様な商品が開発され製品化されている。ところが、髪が押しつぶされ髪型が乱れることを防止する用途に特化した製品は、開発されていない。
【発明の概要】
【発明が解決しようとする課題】
【０００４】  本発明の目的は、旅行や出張などの長距離移動時に簡単に持ち運び可能な携帯用ヘッドレストクッションを提供することである。【０００５】  本発明の他の目的は、髪の毛が押しつぶされ、髪型が乱れることを防止することができる携帯用ヘッドレストクッションを提供することである。【０００６】  本発明のさらに他の目的は、指圧機能が加えられた携帯用ヘッドレストクッションを提供することである。
【課題を解決するための手段】
【０００７】  このような目的を達成するために、本発明は、次のような構成の携帯用ヘッドレストクッションを提供する。【０００８】  本発明の携帯用ヘッドレストクッションは、長方形の平たい支え台と、複数の支柱部と、複数の頭部とからなる。前記複数の支柱部は、それぞれ前記支え台の上面に上向き突出した円柱形態に形成され、互いに離隔されるように配置される。前記複数の頭部は、それぞれ支柱部の上端に半球形で形成され、使用者の頭に当たる部位である。【０００９】  本発明の携帯用ヘッドレストクッションは、さらに底板を含んでもよい。前記底板は、前記支え台の底面に前記支え台と同じ形態に形成され、すべり防止構造を有する。【００１０】  また、本発明の携帯用ヘッドレストクッションにおいて、前記複数の支柱部は全部で５個であり、指を一方向にすぼめた状態に配置されている。【００１１】  また、本発明の携帯用ヘッドレストクッションにおいて、前記頭部の表面は、前記支え台の中央に向け下向き傾斜した形態で形成される。【００１２】  また、本発明の携帯用ヘッドレストクッションにおいて、前記頭部の表面は、凹凸面で形成される。【００１３】  また、本発明の携帯用ヘッドレストクッションにおいて、前記支え台の上面は、滑らかな面で形成される。【００１４】  また、本発明の携帯用ヘッドレストクッションにおいて、前記支え台の片隅には連結口が形成され、前記連結口に差し込まれる固定手段をさらに含んでもよい。【００１５】  また、本発明の携帯用ヘッドレストクッションにおいて、前記支柱部と前記頭部を被せる形態で、前記支え台の側面に結合可能なケースをさらに含んでもよい。
【発明の効果】
【００１６】  本発明の携帯用ヘッドレストクッションは、旅行や出張などのような長距離移動時に簡単に携帯が可能なだけでなく、家庭用でも十分に使用することができるという利点がある。【００１７】  特に、本発明の携帯用ヘッドレストクッションは、支柱部の上部に形成された頭部がまるで指先で頭を支えるような役割をするため、髪の毛が押しつぶされ、髪型が乱れることを防止することができるという効果がある。【００１８】  また、本発明の携帯用ヘッドレストクッションは、頭皮に当たる部位である頭部の表面を凹凸面で形成し、指圧やマッサージの効果を与えることができる。
【図面の簡単な説明】
【００１９】
【図１】本発明の実施形態にかかる携帯用ヘッドレストクッションの平面図である。
【図２】本発明の実施形態にかかる携帯用ヘッドレストクッションの正面図である。
【図３】本発明の実施形態にかかる携帯用ヘッドレストクッションの底板を示す底面斜視図である。
【図４】本発明の実施形態にかかる携帯用ヘッドレストクッションの使用状態図である。
【発明を実施するための形態】
【００２０】  以下、添付図面を参照し、本発明の実施形態をさらに詳細に説明する。ただし、実例形態を説明するに当たり、本発明が属する技術分野でよく知られているか、本発明と直接関連がない事項に対しては、本発明の核心を明確に伝達するために説明を省略する。
【００２１】  一方、添付図面において一部の構成要素は、過剰に表現されるか省略され、または概略的に示されており、各構成要素の大きさは実際の大きさを全面的に反映するものではない。添付図面において、同一するか対応する構成要素には、同一の参照番号を付与する。
【００２２】  図１と図２は、本発明の実施形態にかかる携帯用ヘッドレストクッションの平面図と正面図である。また、図３は、本発明の実施形態にかかる携帯用ヘッドレストクッションの底板を示す底面斜視図であり、図４は、本発明の実施形態にかかる携帯用ヘッドレストクッションの使用状態図である。
【００２３】  図１ないし図４を参照すると、携帯用ヘッドレストクッション１００は、支え台１０と、複数の支柱部２０と、複数の頭部２２とからなる。
【００２４】  支え台１０は、長方形の平たい台である。図１の平面図を参照すると、支え台１０は、横８．０ｃｍ×縦５．０ｃｍの長方形である。ところが、支え台１０の大きさは、特定の大きさに限定されるものではなく、多様に設計可能である。支え台１０は、フレキシブル（ｆｌｅｘｉｂｌｅ）のプラスチック素材で形成されることが好ましい。しかし、支え台１０の素材は、必ずしもプラスチック素材に限定されるものではなく、堅固であるが、硬くなく、フレキシブルな素材であれば、適用可能である。また、支え台１０の上面１２は、髪の毛などの異物がよくつかないように、滑らかな面で形成することが好ましい。
【００２５】  支柱部２０は、複数個（例えば、５個）で構成される。それぞれの支柱部２０は、支え台１０の上面１２に上向き突出した円柱形態で形成される。例えば、支柱部２０の１つの直径は０．８〜１．０ｃｍであり、高さは３．０〜５．０ｃｍであるが、必ずしもこれに限定されるものではない。また、支柱部２０は、互いに離隔されるように配置される。好ましくは、図１と図２に示されるように、指を野球グローブのように開き、一方向にすぼめた状態のように、全部で５個の支柱部２０を配置してもよい。支柱部２０は、支え台１０と同様にフレキシブルのプラスチック素材で形成される。しかし、支柱部２０の素材は、必ずしもプラスチックに限定されるものではなく、堅固であるが、硬くなく、フレキシブルな素材であれば、適用可能である。例えば、シリコンも支柱部２０の素材として使用可能である。また、支柱部２０は、強度を補完するために、中心に鉄芯（図示省略）を入れる形態であってもよい。支え台１０と支柱部２０は、成型モールドを用いて一体化した形態で製造してもよく、支え台１０とそれぞれの支柱部２０を別々に成型した後、互いに接合する方式で製造してもよい。
【００２６】  頭部２２は、それぞれの支柱部２０の上段に半球形（例えば、楕円形態）で形成される。頭部２２の直径は、例えば、長いほうが１．５〜２．０ｃｍであり、短いほうは略１．０ｃｍである。ところが、頭部２２の形態および大きさが、必ずしも上記した寸法に限定されるものではない。図４に示されたように、使用者が椅子４０にすわり頭５０を付けるとき、頭部２２は、使用者の頭５０に実際に当たる部位に該当する。上述したように、指の形態に全部で５個の支柱部２０が配置されるとき、頭部２２は、まるで５本の指先で頭５０を支えるような役割をする。また、頭部２２の表面は、凹凸面で形成されてもよい。頭部２２の凹凸な表面は、使用者の頭皮に当たり指圧やマッサージの効果を与えることができる。また、図２に示されたように、それぞれの頭部２２は、内側に下向き傾斜した形態で形成される。すなわち、頭部２２の表面は、支え台１０の中央に向け下向き傾斜した形態であってもよい。このようにすれば、後頭部の屈曲形状に合っているので、使用者がさらに快適な気持ちを持つことができる。頭部２２は、例えば、支柱部２０の上端にシリコンを塗布し硬化する方式で製造してもよく、支柱部２０と一体で成型し製造してもよい。頭部２２の表面加工は、エンボス加工などのような公知の技術を用いて行うことができる。
【００２７】  一方、支え台１０の底面には、底板１４が形成される。底板１４は、支え台１０と同様に長方形であり、すべり防止構造を有するように形成される。底板１４のすべり防止構造とは、図３に示されたように、洗濯板のような表面構造を有するもので、図４に示されたように、椅子４０にもたれて使用するとき滑らないようにするためのものである。底板１４は、例えば、シリコンを塗布し硬化した後、表面加工をする方式で製造してもよい。しかし、底板１４の模様、素材、製造方法は、必ずしもこれに限定されるものではなく、多様に変形することが可能である。
【００２８】  図１に示されたように、支え台１０の片隅には、連結口１６が形成される。連結口１６には、クリップ３４付きのスプリング３２や紐などの固定手段が差し込まれる。この固定手段により、携帯用ヘッドレストクッション１００を使用者の襟などに固定することができる。連結口１６の取付け位置は、支え台１０の片隅に限定されず、その数も１つに限定されない。連結口１６の取付け位置、数、形状などは、必要に応じて多様に変形することが可能である。また、連結口１６に差し込まれる固定手段としては、例示されているスプリング３２とクリップ３４のほかにベルト（図示省略）を使用してもよい。この場合、ベルトを使用者の襟などに固定するのではなく、椅子に差し込んで固定する方式である。
【００２９】  本発明の携帯用ヘッドレストクッション１００は、ケース３０とそれらを入れる袋（図示省略）をさらに含んでもよい。図２に示されるように、ケース３０は、携帯用ヘッドレストクッションを携帯するか保管するとき、支柱部２０と頭部２２を全部被せる形態で支え台１０の側面に結合される。袋（図示省略）は、単純に携帯用ヘッドレストクッション１００を入れるような普通の袋である。ケース３０や袋（又は二つ）を使用すると、携帯用ヘッドレストクッション１００の携帯がより簡単でかつ衛生的であり、保管するときにホコリ等がつくことを防止することができ、携帯と保管の時に破損することを防止することができる。ケース３０は、例えば、プラスチック素材で製造してもよく、袋は、例えば、織物の素材で製造してもよい。
【００３０】  一方、本発明の携帯用ヘッドレストクッション１００は、必ずしも携帯用だけにその用途が限定されるものではなく、家庭用でも適用可能である。例えば、リビングのソファーにもたれて座る場合、本発明の携帯用ヘッドレストクッション１００を使用することができる。
【００３１】  一方、本明細書と図面に開示されている本発明の実施形態は、本発明の技術内容を容易に説明し、本発明の理解を助けるために特定例を提示しただけで、本発明の範囲を限定するものではない。ここに開示されている実施例の以外にも本発明の技術的思想に基づいた他の変形例が実施可能であることは、本発明が属する技術分野で通常の知識を有する者には自明のことである。
【符号の説明】
【００３２】１００：携帯用ヘッドレストクッション
１０：支え台
１２：支え台の上面
１４：底板
１６：連結口
２０：支柱部
２２：頭部
３０：ケース
３２：スプリング
３４：クリップ
４０：椅子
５０：頭
【図１】
2012200610.tif 000003
【図２】
2012200610.tif 000004
【図３】
2012200610.tif 000005
【図４】
2012200610.tif 000006